(57)【要約】【課題】網片の網目に詰まった汚れを除去しやすくて、清潔に保つことができるたわしを提供すること。【解決手段】網片２と紐３とを備え、網片２の両端間に紐３を表裏面からジグザグ状に通し、網片２を紐３に対して摺動させることにより、網片２の紐挿通部２ａを伸長・圧縮自在とし、網片２の紐挿通部２ａを圧縮状態に保持する係脱自在の係止具５ａ，５ｂを設ける。網片２は合成樹脂製とするのが望ましい。【選択図】図１
2018029661.tif 000002
【特許請求の範囲】
【請求項１】
網片と紐とを備え、前記網片の両端間に前記紐を表裏面からジグザグ状に通し、前記網片を紐に対して摺動させることにより、前記網片の紐挿通部を伸長・圧縮自在とし、前記網片の紐挿通部を圧縮状態に保持する係脱自在の係止手段を設けたことを特徴とするたわし。
【請求項２】
前記網片は合成樹脂より成ることを特徴とする請求項１に記載のたわし。
【請求項３】
前記係止手段は、前記紐の両端部にそれぞれ取り付けられ、互いに着脱自在に係合する一対の係止具より成ることを特徴とする請求項１又は２に記載のたわし。
【請求項４】
前記係止手段は、前記紐の端部に取り付けられ、圧縮状態における前記網片の紐挿通部の外周に着脱可能に巻回される結束具より成ることを特徴とする請求項１又は２に記載のたわし。
【請求項５】
前記係止手段は、前記紐の一端に設けられ、前記紐を挿通可能な係止孔と、前記紐に適宜間隔毎に形成され、前記係止孔に着脱自在に係止される多数の突起とから成ることを特徴とする請求項１又は２に記載のたわし。
【発明の詳細な説明】
【技術分野】
【０００１】
本発明は、網片を素材とするたわしに関する。
【背景技術】
【０００２】
近年、網素材のたわしが多く用いられるようになっている。例えば、引用文献１には、樹脂加工された網糸より成る片体に皺を形成して、縦方向に丸く巻き、その中心部を緊締してなるたわしが開示されている。
このような網素材のたわしは、カラフルで安価であり、網目が効率よく汚れを擦り落とすという利点がある。
しかし、網目に入り込んだ汚れを除去しにくく、特に、中心に近い部分に付着した汚れはほとんど除去することができないので、長期間使用すると菌の増殖による悪臭等が発生して非常に不衛生であった。
【先行技術文献】
【特許文献】
【０００３】
【特許文献１】特許第３００１１９７号公報
【発明の概要】
【発明が解決しようとする課題】
【０００４】
本発明が解決しようとする課題は、上述の問題を解決し、網片の網目に詰まった汚れを除去しやすくて、清潔に保つことができるたわしを提供することにある。
【課題を解決するための手段】
【０００５】
本発明のたわしは、網片と紐とを備え、前記網片の両端間に前記紐を表裏面からジグザグ状に通し、前記網片を紐に対して摺動させることにより、前記網片の紐挿通部を伸長・圧縮自在とし、前記網片の紐挿通部を圧縮状態に保持する係脱自在の係止手段を設けてある。
前記網片は合成樹脂より成ることが望ましい。
前記係止手段は、前記紐の両端部にそれぞれ取り付けられ、互いに着脱自在に係合する一対の係止具より成るか、または、前記紐の端部に取り付けられ、圧縮状態における前記網片の紐挿通部の外周に着脱可能に巻回される結束具としてもよく、あるいは、前記紐の一端に設けられ、前記紐を挿通可能な係止孔と、前記紐に適宜間隔毎に形成され、前記係止孔に着脱自在に係止される多数の突起とから成ることもある。
【発明の効果】
【０００６】
本発明のたわしは、使用する時は、網片の紐挿通部を圧縮して汚れを擦り落としやすい形状とし、使用後に洗浄する際には、紐挿通部を伸長させて網片を平らなシート状にできるため、網目に詰まった汚れも簡単に除去することが可能である。
【図面の簡単な説明】
【０００７】
【図１】本発明の実施例１を示すたわしの網片伸長状態における平面図である。
【図２】本発明の実施例１を示すたわしの使用時における斜視図である。
【図３】本発明の実施例２を示すたわしの網片伸長時における平面図である。
【図４】本発明の実施例２に係る結束具の斜視図である。
【図５】本発明の実施例３を示すたわしの網片伸長時における平面図である。
【図６】本発明の実施例３に係る紐及び係止手段の斜視図である。
【発明を実施するための形態】
【０００８】
以下、本発明の実施例を図面に基づいて詳細に説明する。
図１及び図２は、本発明の実施例１を示す。
実施例１のたわし１は、長方形状の網片２と、網片２に挿通される紐３と、網片２の紐挿通部２ａを圧縮状態に保持する係止手段とを備える。
網片２及び紐３はポリプロピレン等の合成樹脂を素材とする。紐３は、撚り紐、あるいは網紐であり、網片２の長辺よりもやや長く形成されている。
そして、紐３は、網片２の両短辺間に亘って、網片２の網目に表裏面からジグザグ状に中心線に沿って挿通される。従って、網片２を紐３に対して摺動させることにより、網片２の紐挿通部２ａは伸長・圧縮自在となっている。
【０００９】
係止手段は、紐３の両端にそれぞれ取り付けられて、互いに着脱自在に係合する一対の係止具５ａ，５ｂより成る。本実施例では、係止具５ａはリングであり、係止具５ｂはフックである。係止具５ａ，５ｂは、網片２の網目の寸法より大きい径を有し、紐３の抜け止めとなっている。
そして、図２に示すように、紐３を引き絞って網片２の紐挿通部２ａを圧縮させ、圧縮した紐挿通部２ａの外周に紐３を巻き付けて係止具５ａ，５ｂを係止すれば、網片２の紐挿通部２ａを圧縮状態に保持することができる。
【００１０】
たわし１を使用する際は、このように網片２の中央の網挿通部２ａを圧縮させて多層に折り重ね、両端部が開いた形状にする。
一方、使用後にたわし１を洗浄する時は、図１に示すように、係止具５ａ，５ｂを外してから紐３をほどき、紐挿通部２ａを伸長させて網片２を平らなシート状に伸ばす。すると、網片２の網目に詰まった汚れも簡単に除去することができる。
【００１１】
図３及び図４は、本発明の実施例２を示す。
実施例２において、網片２の構造は実施例と同様なので、詳細な説明は省略する。
図３に示すように、紐３は実施例１と同様に網片２に挿通され、紐３の一端は、網片２の網目より大きい結び目３ａを形成するか、あるいは、適宜抜止具を取り付けて、網片２から抜けないようになっている。
係止手段は、紐３の他端部に取り付けられた結束具６より成る。
図３及び図４に示すように、結束具６は、弾性帯片を円弧状に湾曲して形成され、結束具６の一端寄りに複数の窓孔７が周方向に並べて穿設されている。最も一端寄りの窓孔７には紐３の他端部が結びつけられる。また、結束具６の他端には、窓孔７のいずれかに着脱自在に係合する突片８が径方向外側に向けて形成されている。
【００１２】
たわし１を使用するときは、網片２の紐挿通部２ａを圧縮させてその外周に紐３を巻き付けてから、圧縮した紐挿通部２ａの外周に結束具６を巻回し、突片８をいずれかの窓孔７に裏側から係合して、結束具６を閉じた円弧状に保持する。
たわし１を洗浄する時は、突片８を窓孔７から抜いて結束具６を開き、結束具６を圧縮した紐挿通部２ａの外周から外した後、紐３をほどき、紐挿通部２ａを伸長させて網片２を広げる。
【００１３】
図５及び図６は、本発明の実施例３を示す。
実施例３において、網片２の構造は実施例１及び実施例２と同様である。
紐３は、可撓性を有する合成樹脂製の細い棒材より成り、紐３には多数の球状の突起９が適宜間隔毎に一体に形成されている。
紐３の一端には支持具１０が一体に形成され、支持具１０に紐３を挿通可能な複数の係止孔１１が紐３の長手方向に沿って並設されている。係止孔１１の大きさは、紐３を挿通して引っ張ると突起９がようやく通過できるが、紐３を解放すると、突起９が係止固定される寸法になっている。なお、支持具１０は紐３の抜け止めとなっている。
また、紐３の他端には、先細状のガイド片１２が一体に設けられている。
【００１４】
たわし１を使用する際は、網片２の紐挿通部２ａを圧縮してから、ガイド片１２を先にして紐３をいずれかの係止孔１１に通し、さらに、紐３を引っ張って紐挿通部２ａを囲む輪を形成した後、紐３を解放して突起９を係止孔１１に係止する。すると、網片２の紐挿通部２ａは圧縮された状態で保持される。
たわし１を洗浄する際は、紐３を逆方向に引っ張って係止孔１１から抜いた後、紐挿通部２ａを伸長させて網片２を平らに広げる。
【符号の説明】
【００１５】
１    たわし
２    網片
２ａ  紐挿通部
３    紐
３ａ  結び目
５ａ，５ｂ  係止具
６    結束具
７    窓孔
８    突片
９    突起
１０  支持具
１１  係止孔
１２  ガイド片
【図１】
2018029661.tif 000003
【図２】
2018029661.tif 000004
【図３】
2018029661.tif 000005
【図４】
2018029661.tif 000006
【図５】
2018029661.tif 000007
【図６】
2018029661.tif 000008